(57)【要約】【課題】ＬＦデータ中に所定のオブジェクトを検出した場合、１枚のＬＦデータから複数の視点位置の画像を生成することにより、ユーザの利便性を向上させることができる表示装置の制御方法を提供すること。【解決手段】病変が画像中に写っているか否かを検出する病変検出部と、病変検出結果を入力し、表示すべき視点数を決定する表示視点数決定部と、表示視点数を入力し、その値分の視点位置を生成する視点位置生成部と、視点情報とＬＦデータを入力し、画像を再構築する再構築部と、を有する。【選択図】図５
2017217170.tif 000002
【特許請求の範囲】
【請求項１】
撮影後に視点位置を変更することが可能な再構築可能画像を再構築して表示する表示装置であって、
再構築可能画像が所定の特徴を持つか否かを解析する解析部と、
前記解析結果によってそれぞれ異なる視点位置の数を決定する表示視点数決定部と、
前記決定した表示視点数の視点位置情報を生成する視点位置生成部と、
前記生成した表示視点位置に合致する用に再構築可能画像から画像を再構築する再構築部と、
前記再構築した画像を表示する表示部と、を備えることを特徴とする表示装置。
【請求項２】
前記請求項１に記載の解析部が、
再構築可能画像について代表画像を取得する代表画像取得部と、
前記代表画像について所定の色を持つ画素の数が閾値以上か否かによって病変を検出し、その検出結果を解析結果とする病変検出部と、から構成されることを特徴とする請求項１に記載の表示装置。
【請求項３】
前記解析部が、
再構築可能画像に付随するメタデータを取得するメタデータ取得部と、
前記取得したメタデータについて、所定の値を持つか否かを解析結果とするメタデータ判断部と、から構成されることを特徴とする請求項１に記載の表示装置。
【請求項４】
撮影後に視点位置を変更することが可能な再構築可能画像を再構築して表示する表示装置であって、
再構築可能画像について代表画像を取得する代表画像取得部と、
前記代表画像について所定の色を持つ画素の割合を特徴量として取得する特徴量取得部と、
特徴量と視点数の対応表を保持する特徴量視点数対応保持部と、
前記特徴量と視点数の対応表を参照して、前記取得した特徴量に対応する視点数を取得し、表示すべき視点数として決定する表示視点数決定部と、
前記決定した表示視点数の視点位置情報を生成する視点位置生成部と、
前記生成した表示視点位置に合致する用に再構築可能画像から画像を再構築する再構築部と、
前記再構築した画像を表示する表示部と、を備えることを特徴とする表示装置。
【請求項５】
前記解析部が、
再構築可能画像について代表画像を取得する代表画像取得部と、
前記代表画像を複数の領域に分割する領域分割部と、
前記分割された代表画像の各々の領域について所定の色を持つ画素の数が閾値以上か否かによって病変を検出し、その検出結果を解析結果とする病変検出部と、から構成されることを特徴とする請求項１に記載の表示装置。
【請求項６】
前記常に固定の視点数を生成する固定モードと、解析結果によって視点数を変動させる適応モードと、を切り替える再生モード切替部を持つ、ことを特徴とする請求項１に記載の表示装置。
【請求項７】
前記解析部が、
再構築可能画像について代表画像を取得する代表画像取得部と、
前記代表画像について教師画像とのブロックマッチングにより顔を検出し、その検出結果を解析結果とする病変検出部と、から構成されることを特徴とする請求項１に記載の表示装置。
【発明の詳細な説明】
【技術分野】
【０００１】
本発明は、撮影後に視点位置を変更可能な画像データを処理する技術に関する。
【背景技術】
【０００２】
近年、ライトフィールド（以下、ＬＦと略記する）カメラと呼ばれる撮像装置が実用化されている。この撮像装置は、イメージセンサ上に配置したマイクロレンズアレイによって入射光を分割することで、複数の方向の光を撮影して光線情報を得ることができる。以下では、ＬＦカメラにより撮影された画像をＬＦ画像といい、画像データをＬＦデータという。撮影後にＬＦデータに係る光線の強度とその入射方向に基づいて所定の計算処理を実行することによって、任意の視点位置の画像を構築できる。光線情報を利用した撮影後の計算処理により、任意の画像を再構築できることがＬＦカメラの利点である。
【０００３】
特許文献１には、ＬＦデータを用いて仮想的な視点位置の合成画像を生成する技術が公開されている。特許文献１に記載の技術では、仮想的な視点位置に基づいて仮想結像面を導出し、導出された仮想結像面上で結像する光線量を所定の画素ピッチで求めることにより、任意の仮想的な視点位置の合成画像を生成することが可能となる。この特許文献１では、仮想的な視点位置情報の取得手段については、装置を操作しているユーザから取得する構成が示されている。
【先行技術文献】
【特許文献】
【０００４】
【特許文献１】特開２０１４−８６８９９号公報
【発明の概要】
【発明が解決しようとする課題】
【０００５】
しかしながら、上述した従来の技術では、視点位置をユーザが指定する必要があるために、多数のＬＦデータを次々に閲覧するような場合に、ユーザの負担となっていた。
【０００６】
一方で、カメラを医療用途に活用しているカプセル型の内視鏡による診断では、体内にカメラを取込み、１秒間に２回程度の頻度で撮影を行い、撮影された画像群を医師が確認することで診断が行われる。この診断では、複数の方向から病変を確認するために、病変付近を撮影した複数枚の画像を連続でリピート再生するような、シネ再生という再生手段がある。１枚のＬＦデータから複数の視点位置における画像を生成する事が出来るため、ＬＦカメラを内視鏡のカメラとして用いることは有用と考えられる。
【０００７】
しかし、内視鏡による撮影は１秒間に２回程度の頻度で行われるため、画像の数が多くなる。さらに、ユーザである医師は、診断に集中しているため、ＬＦデータを閲覧するための視点位置制御をユーザに強いることは大きな負担となり、上述の課題が顕著となる。
【０００８】
そこで、本発明はＬＦデータ中に所定のオブジェクトを検出した場合、１枚のＬＦデータから複数の視点位置の画像を生成することにより、ユーザの利便性を向上させることができる表示装置の制御方法を提供することを目的とする。
【課題を解決するための手段】
【０００９】
上記の目的を達成するために、本発明に係る表示装置は、
再構築可能画像が所定の特徴を持つか否かを解析する解析部と、
前記解析結果によってそれぞれ異なる視点位置の数を決定する表示視点数決定部と、
前記決定した表示視点数の視点位置情報を生成する視点位置生成部と、
前記生成した表示視点位置に合致する用に再構築可能画像から画像を再構築する再構築部と、
前記再構築した画像を表示する表示部と、を備えることを特徴とする。
【発明の効果】
【００１０】
本発明に係る表示装置によれば、ＬＦデータ中に所定のオブジェクトを検出した場合、１枚のＬＦデータから複数の視点位置の画像を生成することが可能となり、ユーザの利便性を向上させることが出来る。
【図面の簡単な説明】
【００１１】
【図１】ＬＦカメラ内部の構成例（Ａ）および（Ｂ）を示す模式図である。
【図２】マイクロレンズアレイ１２とイメージセンサ１３の各画素との位置関係を示した模式図である。
【図３】マイクロレンズへの入射光線の進行方向と、イメージセンサ１３の記録領域との関係を説明する模式図である。
【図４】イメージセンサ１３に入射する光線の情報を説明するための模式図である。
【図５】本発明の実施例１に係る表示装置１００の構成を示すブロック図である。
【図６】シネ再生における表示装置１００の動作を説明するためのフロー図である。
【図７】内視鏡としてのＬＦカメラが腸内を撮影する様子とＬＦカメラによって撮影されたＬＦデータを表示装置１００で表示した場合の画面を示す図である。
【図８】本発明の実施例２に係る表示装置１００の構成を示すブロック図である。
【図９】本発明の実施例３に係る表示装置１００の構成を示すブロック図である。
【図１０】本発明の実施例３に係る特徴量と視点数の対応表の例である。
【図１１】本発明の実施例４に係る表示装置１００の構成を示すブロック図である。
【図１２】本発明の実施例５に係る表示装置１００の構成を示すブロック図である。
【図１３】本発明の実施例６に係る表示装置１００の構成を示すブロック図である。
【発明を実施するための形態】
【００１２】
［実施例１］
以下、添付図面を参照して、本発明の例示的な実施形態について詳細に説明する。本発明の実施形態に係る画像処理装置の説明に先立ち、ＬＦカメラについて説明する。
【００１３】
図１はＬＦカメラの概略構成を例示する。
【００１４】
撮像光学系を構成する撮像レンズ１１を通過してマイクロレンズアレイ１２に入射した被写体からの光は、イメージセンサ１３によって光電変換されて電気信号が得られる。なお、ここで得られた撮像データはＬＦデータである。撮像レンズ１１は、被写体からの光をマイクロレンズアレイ１２に投射する。撮像レンズ１１は交換可能であり、撮像装置１０の本体部に装着して使用する。ユーザは撮像レンズ１１のズーム操作により撮像倍率を変更することができる。
【００１５】
マイクロレンズアレイ１２は、微小レンズ（マイクロレンズ）を格子状に配列して構成されており、撮像レンズ１１とイメージセンサ１３の間に位置する。マイクロレンズアレイ１２を構成する各マイクロレンズは、撮像レンズ１１からの入射光を分割し、分割した光をイメージセンサ１３に出力する。撮像部を構成するイメージセンサ１３は、複数の画素を有する撮像素子であり、各画素にて光の強度を検出する。被写体からの光を受光するイメージセンサ１３の各画素には、各マイクロレンズによって分割した光がそれぞれ入射する。
【００１６】
図２はマイクロレンズアレイ１２とイメージセンサ１３の各画素との位置関係を示す模式図である。
【００１７】
マイクロレンズアレイ１２の各マイクロレンズは、イメージセンサ１３における複数の画素が対応するように配置される。イメージセンサ１３の各画素には各マイクロレンズが分割した光が入射し、各画素にて異なる方向からの光の強度（光線情報）を検出することができる。また、各マイクロレンズとイメージセンサ１３の各画素との位置関係に応じて、マイクロレンズを介してイメージセンサ１３の各画素に入射した光線の入射方向（方向情報）が分かる。
【００１８】
すなわち、光の強度分布と併せて、光の進行方向の情報が検出される。マイクロレンズアレイ１２のレンズ頂点面からの距離が異なる焦点面での像は、各マイクロレンズの光軸からの偏心量に対応した位置にあるイメージセンサ１３の画素の各出力を合成することで得られる。なお、光線は位置や方位、波長などのパラメータを用いて、平行な２平面によってパラメータ化される関数で表される。つまり、各マイクロレンズに対応する複数の画素の配置によって各画素への光の入射方向が決まっている。
【００１９】
以上のように、撮像装置１０は光線情報と方向情報を取得し、光線の並べ替えと計算処理（以下、再構築という）を行うことにより、任意のフォーカス位置や視点での画像データを生成できる。この光線情報および方向情報はＬＦデータに含まれる。この場合のフォーカス位置は、撮影後にユーザが所望の画像領域に焦点を合わせることが可能な焦点位置である。
【００２０】
図３はマイクロレンズアレイ１２のマイクロレンズへの入射光線の進行方向と、イメージセンサ１３の記録領域との関係を説明する模式図である。
【００２１】
撮像レンズ１１による被写体の像は、マイクロレンズアレイ１２上に結像し、マイクロレンズアレイ１２への入射光線はマイクロレンズアレイ１２を介してイメージセンサ１３で受光される。このとき、図３に示すように、マイクロレンズアレイ１２への入射する光線は、その進行方向に応じてイメージセンサ１３上の異なる位置で受光され、撮像レンズ１１の形状に相似形となる被写体の像がマイクロレンズ毎に結像する。
【００２２】
図４はイメージセンサ１３に入射する光線の情報を説明するための模式図である。
【００２３】
イメージセンサ１３で受光される光線について図４を用いて説明する。ここで、撮像レンズ１１のレンズ面上における直交座標系を（ｕ，ｖ）とし、イメージセンサ１３の撮像面上における直交座標系（ｘ，ｙ）とする。さらに、撮像レンズ１１のレンズ面とイメージセンサ１３の撮像面との距離をＦとする。すると、撮像レンズ１１およびイメージセンサ１３を通る光線の強度は、図中で示す４次元関数Ｌ（ｕ，ｖ，ｘ，ｙ）で表すことができる。
【００２４】
各マイクロレンズに入射する光線は、進行方向に応じて異なる画素に入射されることから、イメージセンサ１３では、光線の位置情報に加え、光線の進行方向を保持する上記の４次元関数Ｌ（ｕ，ｖ，ｘ，ｙ）が記録される。
【００２５】
このような構成によりＬＦカメラは複数方向の光線情報を４次元関数として記録する事が出来る。このように記録した複数方向の光線情報を用いて、任意の視点位置の画像を再構築する処理としては、特許文献１に記載されている処理がある。これは、再構築したい視点位置に対する仮想結合面を求め、その仮想結合面を通る光線の強度を画素値として取得するような処理となる。本発明における再構築処理も、この処理を行うものとする。
【００２６】
次に、本発明の第１の実施形態について説明する。
【００２７】
以下に示す実施の形態は、ＬＦカメラを用いた内視鏡の診断において、複数の方向から病変を確認するために病変付近を撮影した複数枚の画像を連続でリピート再生するような、シネ再生を行う装置である。本装置に入力されるＬＦデータは、特定の病変部付近を撮影した複数枚のＬＦデータが、撮影した順番で次々に入力される場合について説明する。
【００２８】
図５は本実施例に係る表示装置１００の構成を示すブロック図である。
【００２９】
ＬＦデータ入力部１０１は外部からＬＦデータを入力し、代表画像取得部１０２及び再構築部１０６にＬＦデータを出力する。
【００３０】
代表画像取得部１０２は、入力したＬＦデータから代表画像を取得する。ＬＦデータから代表画像を取得する処理はさまざまな手段が考えられるが、ここでは、ＬＦデータに対して特定の視点位置で画像を再構築する処理とする。特定の視点位置としては、システム固有の値としても良いし、ＬＦデータに対するメタデータから取得する値としても良い。再構築した代表画像を病変検出部１０３へ出力する。
【００３１】
病変検出部１０３は、入力した代表画像に対して、病変が代表画像中に写っているか否かを検出する。検出のアルゴリズムはさまざまな手段が考えられるが、ここでは、特定の色を持つ画素が閾値以上存在するか否かによって、病変が写っているか否かを検出する。本実施例においては、閾値は全画素数の１割を閾値とする。病変検出結果を表示視点数決定部１０４に出力する。
【００３２】
表示視点数決定部１０４は、病変検出結果を入力し、表示すべき視点数を決定する。決定方法の詳細については後述する。決定した表示視点数を視点位置生成部１０５に出力する。視点位置生成部１０５は、表示視点数を入力し、その値分の視点位置を生成する。生成方法の詳細については後述する。生成した視点位置を再構築部１０６に出力する。再構築部１０６は、視点情報とＬＦデータを入力し、画像を再構築する。このとき、視点情報が複数ある場合は複数の画像を再構築する。再構築した画像を表示部１０７へ出力する。表示部１０７は、入力した画像の表示を行う。
【００３３】
図６はシネ再生における表示装置１００の動作を説明するためのフロー図である。
【００３４】
ステップＳ２００では、ＬＦデータ入力部１０１が、未処理のＬＦデータが存在するか否かを判断する。全てのＬＦデータを処理し終えた場合には、シネ再生を終了とする。未処理のＬＦデータがある場合には該当のＬＦデータを入力し、ステップＳ２０1へ進む。
【００３５】
ステップＳ２０１では、代表画像取得部１０２がＬＦデータから代表画像を取得し、病変検出部１０３が代表画像に病変が写っているか否かを検出する。病変を検出しなかった場合はステップＳ２０２へ、病変を検出した場合はステップＳ２０６へ進む。
【００３６】
ステップＳ２０２では、表示視点数決定部１０４が表示視点数を１に決定し、ステップＳ２０３へ進む。
【００３７】
ステップＳ２０３では、視点位置生成部１０５が１つの視点位置を生成し、ステップＳ２０４へ進む。
【００３８】
ステップＳ２０４では、生成した視点位置を用いて再構築部１０６が画像を再構築し、ステップＳ２０５へ進む。
【００３９】
ステップＳ２０５では、表示部１０７が再構築した画像を表示し、Ｓ２１２へ進む。
【００４０】
ステップＳ２０６では、表示視点数決定部１０４が表示視点数を３に決定し、ステップＳ２０７へ進む。
【００４１】
ステップＳ２０７では、視点位置生成部１０５が３つの視点位置を生成し、ステップＳ２０８へ進む。３つの視点位置を生成する手段はさまざまな方法が考えられるが、ここでは入力したＬＦデータに関して再構築可能な視点位置の範囲において、水平方向の最も端に位置する２点と、それらの中央に位置する点と、を生成する。
【００４２】
ステップＳ２０８では、再構築部１０６が、視点位置生成部１０５が生成した視点位置の全てについて表示済みか否かを判断する。全て表示済みであればステップＳ２１２へ進み、終わっていなければステップＳ２０９へ進む。
【００４３】
ステップＳ２０９では、再構築部１０６が、生成した視点位置の中から表示が終わっていない視点情報を用いて画像を再構築し、ステップＳ２１０へ進む。
【００４４】
ステップＳ２１０では、表示部１０６が再構築した画像を表示し、ステップＳ２１１へ進む。
【００４５】
ステップＳ２１１では、再構築部１０６がステップ２０９で使用した視点位置を表示済みに設定し、次の視点位置を表示するためステップＳ２０８へ戻る。
【００４６】
ステップＳ２１２では、ステップＳ２００で選択したＬＦデータを処理済みに設定し、次のＬＦデータを処理するためにステップＳ２００へ戻る。
【００４７】
以上の処理フローによって、病変が写っているＬＦデータは３つの異なる視点位置によって画像を再構築および表示し、病変が写っていないＬＦデータは１つの視点位置によって画像を再構築および表示するシネ再生制御となる。このように制御することで、ユーザは煩雑な視点位置指定をすることなく、病変に対して多くの複数視点位置からの画像を確認することが出来る。一方で、病変が写っていないＬＦデータについては、少ない表示回数に抑えることが出来る。
【００４８】
図７（ａ）は内視鏡としてのＬＦカメラが腸内を撮影する様子を示している。
【００４９】
図の両側に斜線で示された領域は腸を、黒い三角形で示された領域は病変を、矩形と台形で示された領域はＬＦカメラを、破線で示された領域はＬＦカメラにおける特定視点位置からの視野角を、示している。図では、時刻Ｔが１，２，３の時におけるＬＦカメラがそれぞれ腸内でどこに位置しているかを示している。また、各時刻のＬＦカメラにおいて、視点位置Ｐが１，２，３の場合に、どの向きの視野角の領域が画像として再構築できるかを示している。
【００５０】
特に時刻Ｔが１および２の時には病変が写りこむ位置にＬＦカメラが存在し、時刻Ｔが３の時には病変が写りこまない位置に存在していることを示している。
【００５１】
図７（ｂ）は図７（ａ）で示されたＬＦカメラによって撮影されたＬＦデータを表示装置１００で表示した場合の画面を示している。
【００５２】
表示装置１００は、図の最も下の画像から最も上の画像までを、一定の間隔で順番に表示する。最初に表示される画像は、時刻Ｔが１の時に撮影されたＬＦデータについて、視点位置Ｐを１として再構築した画像である。次に表示される画像は、時刻Ｔが１で、視点位置Ｐが２となる画像である。その後、時刻Ｔが１で視点位置Ｐが３の画像が表示され、時刻Ｔが２で視点位置Ｐが１の画像が表示され、と続き、最後は時刻Ｔが３で視点位置Ｐが２の画像を表示して、終了となる。
【００５３】
このように、本実施例係る表示装置１００では、病変が写っている時には複数の視点位置による再構築画像を表示し、病変が写っていない時には一つの視点位置による再構築画像を表示する動作となる。これによって、病変が写っているＬＦカメラのデータについては視点位置制御の様な煩雑な操作を診断している医師に強いることなく、複数の視点位置からの画像を閲覧させることが出来る。また、病変が写っていないＬＦカメラのデータについては、無駄に複数の視点位置からの画像を閲覧しなくて済む。
【００５４】
なお、再構築した画像を表示する際に、ＧＵＩとして時刻情報と視点位置情報も表示してもよい。このようにする事で、順番に表示される各々の画像が、どの時刻に撮影されたＬＦデータなのか、どの視点位置から再構築した画像なのか、を把握する事が出来る。
【００５５】
［実施例２］
次に、本発明の第２の実施例について説明する。
【００５６】
本実施例では、既に別の医師による診断が行われたＬＦデータについて、再度別の医師がシネ再生するような場合における表示制御について説明する。このように別の医師が既に診断済みである場合、病変が写っているか否かを示すアノテーションがメタデータとしてＬＦデータに付与されている。
【００５７】
以下では、実施例１と相違する点についてのみ説明し、実施例１と同一の構成、同一の動作については実施例１と同一の符号を付与して説明を省略する。
【００５８】
図８は本実施例に係る表示装置８００の構成を示すブロック図である。
【００５９】
メタデータ取得部８０２は、ＬＦデータ入力部１０１で入力したＬＦデータに付随するメタデータを取得する。本実施例におけるメタデータとは、別の医師による診断結果である。このメタデータをメタデータ判断部８０３に出力する。
【００６０】
メタデータ判断部８０３は、メタデータを解析し、病変がＬＦデータ中に存在するか否かを判断する。本実施例では、メタデータ中を「予見あり」という文字列で検索を行い、文字列が見つかれば病変が存在すると、見つからなければ存在しないと、判断する。判断結果を病変検出結果として表示視点数決定部１０４に出力する。
【００６１】
以上の様な構成とする事で、別の医師が予見ありと判断したＬＦデータを表示する場合には、複数の視点による再生を行い、予見なりと判断しなかったＬＦデータについては、１枚だけの視点による再生を行うような、シネ再生を行うことが出来る。
【００６２】
［実施例３］
次に、本発明の第３の実施例について説明する。
【００６３】
以下では、実施例１と相違する点についてのみ説明し、実施例１と同一の構成、同一の動作については実施例１と同一の符号を付与して説明を省略する。
【００６４】
図９は本実施例に係る表示装置９００の構成を示すブロック図である。
【００６５】
特徴量取得部９０１は、入力した代表画像に対する特徴量を取得する。具体的には、特定の色を持つ画素が、画面全体の画素のどれくらいの割合を占めているかを特徴量として取得する。取得した値はパーセントとして０〜１００に正規化し、表示数決定部９０４に出力する。特徴量視点数対応保持部９０２は、特徴量と視点数の対応表を保持する。図１０は特徴量と視点数の対応表の例である。
【００６６】
表示数決定部９０４は、特徴量取得部９０１から入力した特徴量について、特徴量視点数対応保持部９０２が保持する対応表を参照することで、視点数を決定する。例えば、特徴量が３０である場合には、対応表より視点数を２と決定する。決定した視点数を、視点位置生成部１０５へ出力する。
【００６７】
以上の様な構成によって、病変が大きく写っているＬＦデータについては多数の視点数による表示を行い、病変が小さく写っているＬＦデータについては少数の視点数による表示を行うことが出来る。
【００６８】
［実施例４］
次に、本発明の第４の実施例について説明する。
【００６９】
以下では、実施例１と相違する点についてのみ説明し、実施例１と同一の構成、同一の動作については実施例１と同一の符号を付与して説明を省略する。
【００７０】
図１１は本実施例に係る表示装置１１００の構成を示すブロック図である。
【００７１】
領域分割部１１０１は、代表画像を左右に分割する。分割した２つの画像を病変検出部１０３へ出力する。
【００７２】
表示視点数決定部１１０４は、左右の代表画像に対する病変結果をそれぞれ入力し、それぞれについて、表示すべき視点数を決定する。決定方法の詳細については実施例１と同様である。左右の領域について、それぞれ決定した視点数を視点位置生成部１１０５に出力する。
【００７３】
視点位置生成部１１０５は、左右の領域について、それぞれ決定した視点数を入力し、視点位置を生成する。例として左の領域についての視点位置の決定処理について述べる。左の領域について、視点数が１と判断された場合には、とりうる水平方向の最も左側に位置する点と中央に位置する点との中点を、視点位置として生成する。視点数が３と判断された場合には、１と判断された場合の点に加えて、最も左側に位置する点と、中央に位置する点を視点位置として生成する。右の領域についても同様の処理によって視点位置を生成する。仮に、左右の視点数が共に３である場合には、中央に位置する視点位置が重複して生成されるため片方を削除し、左右の合計で５つの視点位置を生成する。
【００７４】
以上の様な構成により、ＬＦカメラの左右どちらかだけに病変があるような場合に、病変が存在する側の視点数が、病変が存在しない側の視点数よりも多くなるようなシネ再生を行うことが出来る。
【００７５】
［実施例５］
次に、本発明の第５の実施例について説明する。
【００７６】
以下では、実施例１と相違する点についてのみ説明し、実施例１と同一の構成、同一の動作については実施例１と同一の符号を付与して説明を省略する。
【００７７】
図１２は本実施例に係る表示装置１２００の構成を示すブロック図である。
【００７８】
再生モード切替部１２０１は、ユーザからの指定により、表示視点数を固定にする固定モードと、表示視点数を病変検出結果に応じて変化させる適応モードと、の２つのモードを切り替える。現在のモードを表示視点数決定部１２０４に出力する。表示視点数決定部１２０４は、固定モードであれば常に視点数を３に決定し、変動モードであれば実施例１と同様の処理によって視点数を決定する。
【００７９】
以上の構成により、病変が検出されなかったＬＦデータについても、ユーザによる煩雑な操作なしに複数の視点位置からの画像を閲覧することができる。
【００８０】
［実施例６］
次に、本発明の第６の実施例について説明する。
【００８１】
実施例１では内視鏡で撮影された画像を再生する処理として説明したが、本実施例では、民生用のカメラとしてＬＦカメラを用いた場合のスナップ写真を再生する処理における、本発明の処理を説明する。
【００８２】
以下では、実施例１と相違する点についてのみ説明し、実施例１と同一の構成、同一の動作については実施例１と同一の符号を付与して説明を省略する。
【００８３】
図１３は本実施例に係る表示装置１３００の構成を示すブロック図である。
【００８４】
顔検出部１３０１は、入力した代表画像に対して、人物の顔が写っているか否かを検出する。顔検出のアルゴリズムはさまざまな手段が考えられるが、ここでは、所定の教師画像とのブロックマッチングによって顔を検出する。検出結果を表示視点数決定部１０４に出力する。
【００８５】
以上の構成により、顔が写っているＬＦデータについては、複数の視点での表示を行い、そうでないＬＦデータについては、１視点での表示を行うような再生をする事が出来る。
【符号の説明】
【００８６】
１００  表示装置、１０３  病変検出部、１０４  表示視点数決定部、１０５  視点位置生成部
【図１】
2017217170.tif 000003
【図２】
2017217170.tif 000004
【図３】
2017217170.tif 000005
【図４】
2017217170.tif 000006
【図５】
2017217170.tif 000007
【図６】
2017217170.tif 000008
【図７】
2017217170.tif 000009
【図８】
2017217170.tif 000010
【図９】
2017217170.tif 000011
【図１０】
2017217170.tif 000012
【図１１】
2017217170.tif 000013
【図１２】
2017217170.tif 000014
【図１３】
2017217170.tif 000015